【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
フィルタ媒体シートを有するプリーツフィルタ媒体パックを形成する方法であって、
前記フィルタ媒体シートをプリーツ加工して、複数のプリーツパネルを提供するステップと、
複数のシームを溶接して前記プリーツパネルの複数の隣接ペアにし、複数のポケットプリーツを形成するステップとを含む方法。
【請求項２】
前記フィルタ媒体シートを移動経路に沿って前進させるステップをさらに含み、
前記プリーツ加工が、前記フィルタ媒体シートを離間された間隔でしわ加工し、前記移動経路に直交して延びる方向に前記しわ加工を延ばすことによって、前記プリーツフィルタ媒体パック内に複数のプリーツ先端を有する前記プリーツパネルを形成することを含む、
請求項１に記載の方法。
【請求項３】
前記プリーツ加工および溶接後、前記ポケットプリーツを互いに重ねて、前記プリーツフィルタ媒体パックを形成するステップをさらに含む、請求項１に記載の方法。
【請求項４】
前記プリーツフィルタ媒体パックが、上流面にある複数の上流プリーツ先端と、下流面にある複数の下流プリーツ先端とを含み、前記プリーツパネルが、前記上流プリーツ先端と前記下流プリーツ先端との間に延び、前記プリーツパネルがそれぞれ、前記プリーツパネルの第１および第２の両側縁部間に横断方向に延び、前記溶接が、前記第１および第２の両側縁部を離間された場所で一体的に接合する、請求項１に記載の方法。
【請求項５】
前記第１および第２の両側縁部間の場所で前記隣接するプリーツパネルをともに接合するステップをさらに含む、請求項４に記載の方法。
【請求項６】
前記溶接が、前記上流プリーツ先端および前記下流プリーツ先端のうちの少なくとも１つにおいて、前記上流プリーツ先端および前記下流プリーツ先端のうちの少なくとも１つに沿って離間された場所で行われる、請求項４に記載の方法。
【請求項７】
前記フィルタ媒体シートが、溶接を容易にするために、少なくとも１０重量％のポリマー繊維を含む、請求項１に記載の方法。
【請求項８】
前記ポリマー繊維が、ポリプロピレンおよびポリエステルのうちの少なくとも１つを含む、請求項７に記載の方法。
【請求項９】
アンビルおよび溶接ツールを備える線形往復プレスによって溶接するステップと、前記溶接を容易にするために、熱エネルギーデバイスから前記アンビルと前記溶接ツールとの間に熱エネルギーを供給するステップとをさらに含む、請求項１に記載の方法。
【請求項１０】
前記溶接が、前記ポケットプリーツを間に形成する超音波プレスによって超音波溶接することを含み、前記超音波プレスが、アンビルおよびソノトロードを備え、前記アンビルおよび前記ソノトロードのうちの少なくとも１つに沿って、リブ突出部が設けられる、請求項１に記載の方法。
【請求項１１】
前記リブ突出部が、前記アンビル上に設けられ、前記ソノトロードの方へ突出する、請求項１０に記載の方法。
【請求項１２】
前記リブ突出部が、前記アンビルおよび前記ソノトロードのうちの少なくとも１つの板上に配置された取外し可能なツールによって提供され、前記方法が、前記取外し可能なツールを取り外して前記取外し可能なツールを再配置するステップ、または前記取外し可能なツールを第２の取外し可能なツールに交換するステップと、前記再配置された取外し可能なツールまたは前記第２の取外し可能なツールを使用して、異なる構成の前記フィルタ媒体パックを形成するステップとをさらに含む、請求項１０に記載の方法。
【請求項１３】
前記アンビルおよび前記ソノトロードを互いに対して近づいたり離れたりするように線形に往復させて、前記シームを超音波溶接するステップをさらに含む、請求項１０に記載の方法。
【請求項１４】
第１の線形スライド上に取り付けられた第１のキャリッジ上で前記アンビルを保持するステップと、
第２の線形スライド上に取り付けられた第２のキャリッジ上で前記ソノトロードを保持するステップと、
前記シームの前記溶接を容易にするために、前記アンビルおよびソノトロードのそれぞれを独立して、Ｚ軸に沿って近づいたり離れたりするように線形に摺動させるステップと、前記ポケットプリーツを解放して、前記ポケットプリーツを互いに重ねて、前記プリーツフィルタ媒体パックを形成することを可能にするステップとをさらに含む、
請求項１３に記載の方法。
【請求項１５】
前記線形に往復させるステップが、Ｚ軸内で行われ、前記方法が、前記プリーツフィルタ媒体パックの形成中に前記Ｚ軸に直交する少なくとも１つの軸に沿って前記リブ突出部の場所を動かして、前記プリーツフィルタ媒体パックを直方体でない不規則な形状で形成するステップをさらに含む、請求項１３に記載の方法。
【請求項１６】
前記リブ突出部が、第１および第２の平行な線形突出要素を離間された関係で備え、前記ポケットプリーツの前記第１および第２の両側縁部を前記第１および第２の平行な線形突出要素によって係合させる、請求項１０に記載の方法。
【請求項１７】
前記第１および第２の平行な線形突出要素が取り付けられた線形スライドアセンブリをさらに含み、前記方法が、
前記プリーツフィルタ媒体パックの前記形成中に前記線形スライドアセンブリに沿って前記第１および第２の線形突出部のうちの少なくとも１つを動かすことによって、前記第１および第２の平行な線形突出要素間の間隔を調整して、前記プリーツフィルタ媒体パックを直方体でない不規則な形状で形成するステップをさらに含む、請求項１６に記載の方法。
【請求項１８】
前記アンビルおよび前記ソノトロードのうちの少なくとも１つに沿って設けられたナイフ突出部をさらに含み、前記ナイフ突出部が、前記リブ突出部より薄く、前記ナイフ突出部によってプリーツパネルの前記隣接ペアを切断する、請求項１０に記載の方法。
【請求項１９】
前記ナイフ突出部が、前記リブ突出部の少なくとも一部分の近傍にあり、前記ナイフ突出部が、前記リブ突出部によって同時に超音波溶接された少なくとも１つのシームを切断する、請求項１８に記載の方法。
【請求項２０】
前記フィルタ媒体シートを移動経路に沿って断続的に次々に前進および停止させるステップをさらに含み、前記フィルタ媒体シートが停止されている間に、エンボス加工およびしわ加工のうちの少なくとも１つが行われ、前記フィルタ媒体シートが前進している間に、前記フィルタ媒体シートの先行部分がしわに沿って折り畳まれる、請求項１に記載の方法。
【請求項２１】
フィルタ媒体シートを有するプリーツフィルタ媒体パックを形成する方法であって、
前記フィルタ媒体シートをプリーツ加工して、複数のプリーツパネルを提供するステップと、
複数のシーム縁部を超音波切断して前記プリーツパネルの複数の隣接ペアにするステップと、
濾過されていない流体が前記プリーツフィルタ媒体パック内の前記シーム縁部を通過するのを防止するのに十分なように、前記プリーツパネルの前記隣接ペアを前記シーム縁部に沿って接合および封止するステップとを含む方法。
【請求項２２】
前記フィルタ媒体シートを移動経路に沿って前進させるステップをさらに含み、
前記プリーツ加工が、前記フィルタ媒体シートを複数の離間された間隔でしわ加工し、前記移動経路に直交して延びる方向に前記しわ加工を延ばすことによって、前記プリーツパネルを形成し、前記プリーツフィルタ媒体パック内に複数のプリーツ先端を提供することを含み、
前記超音波切断が、前記移動経路に対して横断方向に延びる延長部内で前記シーム縁部を切断する、
請求項２１に記載の方法。
【請求項２３】
前記超音波切断シーム縁部によって前記プリーツフィルタ媒体パック内に切抜き領域を形成して、前記フィルタ媒体パックを直方体でない不規則な形状で形成するステップをさらに含む、請求項２１に記載の方法。
【請求項２４】
前記プリーツフィルタ媒体パックが、上流面にある複数の上流プリーツ先端と、下流面にある複数の下流プリーツ先端とを含み、前記プリーツパネルが、前記上流プリーツ先端と前記下流プリーツ先端との間に延び、前記プリーツパネルがそれぞれ、第１および第２の両側縁部間に横断方向に延び、前記方法が、前記第１および第２の両側縁部に沿って複数の一体接合部を超音波溶接して、複数のポケットプリーツを形成するステップをさらに含む、請求項２１に記載の方法。
【請求項２５】
前記プリーツフィルタ媒体パックが、上流面にある複数の上流プリーツ先端と、下流面にある複数の下流プリーツ先端とを含み、前記プリーツパネルが、前記上流プリーツ先端と前記下流プリーツ先端との間に延び、前記プリーツパネルがそれぞれ、前記プリーツパネルの第１および第２の両側縁部間に横断方向に延び、前記方法が、前記第１および第２の両側縁部間の場所で前記プリーツパネルの前記隣接ペアをともに超音波溶接するステップをさらに含む、請求項２１に記載の方法。
【請求項２６】
超音波プレスが、アンビルおよびソノトロードを備え、前記シーム縁部の前記超音波切断を容易にするために、前記アンビルと前記ソノトロードとの間にナイフ突出部およびリブ突出部が設けられる、請求項２１に記載の方法。
【請求項２７】
前記ナイフ突出部、およびそれに対応して前記シーム縁部が、曲線または非線形である、請求項２６に記載の方法。
【請求項２８】
前記ナイフ突出部が、前記アンビルおよび前記ソノトロードのうちの少なくとも１つの支持部材上に配置された取外し可能なツールによって提供され、前記方法が、前記取外し可能なツールを取り外して前記取外し可能なツールを再配置するステップ、または前記取外し可能なツールを第２の取外し可能なツールに交換するステップと、前記再配置された取外し可能なツールまたは前記第２の取外し可能なツールを使用して、異なる構成の前記フィルタ媒体パックを形成するステップとをさらに含む、請求項２６に記載の方法。
【請求項２９】
前記アンビルおよび前記ソノトロードを近づいたり離れたりするように線形に往復させて、前記シーム縁部を超音波切断するステップをさらに含む、請求項２６に記載の方法。
【請求項３０】
第１の線形スライド上に取り付けられた第１のキャリッジ上で前記アンビルを保持するステップと、
第２の線形スライド上に取り付けられた第２のキャリッジ上で前記ソノトロードを保持するステップと、
前記シーム縁部の前記超音波切断を容易にするために、前記アンビルおよびソノトロードのそれぞれをＺ軸に沿って近づいたり離れたりするように線形に摺動させるステップと
をさらに含む、請求項２６に記載の方法。
【請求項３１】
前記プリーツフィルタ媒体パックの前記形成中に前記Ｚ軸に直交する少なくとも１つの軸に沿って前記ナイフ突出部の場所を動かして、前記プリーツフィルタ媒体パックを直方体でない不規則な形状で形成するステップをさらに含む、請求項３０に記載の方法。
【請求項３２】
前記ナイフ突出部に隣接して設けられたリブ突出部をさらに含み、前記ナイフ突出部が、前記リブ突出部より薄く、前記リブ突出部の近傍に位置し、前記方法が、前記シーム縁部を超音波切断しながら、前記切断シーム縁部を同時に超音波溶接して、ポケットプリーツを形成するステップをさらに含む、請求項２６に記載の方法。
【請求項３３】
前記フィルタ媒体シートを移動経路に沿って断続的に次々に前進および停止させるステップをさらに含み、前記フィルタ媒体シートが停止されている間に、エンボス加工およびしわ加工のうちの少なくとも１つが行われ、前記フィルタ媒体シートが前進している間に、前記フィルタ媒体シートの先行部分がしわに沿って折り畳まれる、請求項１に記載の方法。